(57)【要約】【課題】親指に掛かる窮屈感を軽減するとともに、親指袋が容易に破れることのない手袋を提供する。【解決手段】掌材と甲材を縫合した手袋１において、人差指側端縁Ａ５と手首側端縁Ａ４との交点より形成される角の一部１１ｆ１を、手首から親指の第二関節に渡って落とした掌材１１と、親指の第二関節から指先に至る形状に符号する掌面親指材１２と、掌面中指材１３と、掌面薬指材１４と、手首から親指の指先までに沿った形状の甲面親指材１５と、甲材１６とを備えたことを特徴とする手袋１を提供する。【選択図】図１
2011219910.tif 000002
【特許請求の範囲】
【請求項１】
掌材と甲材を縫合した手袋において、
人差指側端縁と手首側端縁との交点より形成される角の一部を、手首から親指の第二関節に渡って落とした掌材と、
親指の第二関節から指先に至る形状に符号する掌面親指材と、
手首から親指の指先までに沿った形状の甲面親指材と、
甲材と、
を備えたことを特徴とする手袋。
【発明の詳細な説明】
【技術分野】
【０００１】
本発明は、手袋に関し、詳しくは、親指に掛かる窮屈感を軽減するとともに、親指袋が容易に破れることのない手袋に関する。
【背景技術】
【０００２】
従来の手袋６は、図６に示すように、掌材６１、掌面親指材６２、甲面親指材６３、甲材６４、中指材６５、薬指材６６、袖部６７がそれぞれ別個に裁断された生地をそれぞれ縫合して製造されている。前記掌材６１の親指の付根に対応する位置には、掌面親指材６２の下端縁６２ａと甲面親指材６３の下端縁６３ａとが縫合されるための親指穴６８が設けられている。掌材６１の親指穴６８に、掌面親指材６２と甲面親指材６３とが縫合されると、掌材６１に親指袋が形成され、その縫目６９は、丁度、手の親指の付根の周縁に表れることとなる（図７）。
【０００３】
前記縫目６９のある生地部分は、糸で固く縫い付けられていることもあって、剛性が高く、縫代部分に段差が生じる。そのため、従来の手袋６を装着して長時間作業すると、剛性が高い縫目６９の箇所が、親指の付根部分と擦れて、違和感や痛みを伴うという問題があった。
【０００４】
さらに、前記縫目６９では、固い縫い付けによって、生地部分の伸縮性が失われ、縫目６９の周辺生地の伸縮が阻害された状態となる。そのため、親指を動かす場合、縫目６９の周辺が十分に伸ばされず、親指を押さえつける状態となり、手袋６を装着した作業者は手の親指を楽に動かすことができず、窮屈感を感じるという問題があった。
【０００５】
そこで、例えば、実用新案登録第３０５４１３２号公報（特許文献１）には、平側主体材、甲側主体材、補強材などの手袋生地を縫合してなる縫製手袋であって、前記平側主体材には、親指平面被覆部と、人差指平面被覆部と、該親指平面被覆部及び人差指平面被覆部間の指股面被覆部とが連続状態で一体裁断されているとともに、前記親指平面被覆部と人差指平面被覆部と指股面被覆部とにまたがって１枚ものの指平・指股面補強材が縫着されていることを特徴とする縫製手袋が開示されている。当該構成により、親指袋と人差指袋間の指股部分に補強材の縫い目を無くすることができ、該指股部分に補強材を取付けたものでも装着感覚が悪くならないとしている。
【先行技術文献】
【特許文献】
【０００６】
【特許文献１】実用新案登録第３０５４１３２号公報
【発明の概要】
【発明が解決しようとする課題】
【０００７】
しかしながら、特許文献１に記載の技術では、従来の手袋６に用いられない補強材を新たに設けることによって、親指袋と人差指袋との間の指股部分に補強材の縫い目を無くすることができるため、当該補強材に対応する生地を必要とし、コストが掛かるという問題ある。
【０００８】
又、従来の手袋６を製造する場合、掌材６１に設けられる親指穴６８の生地は、通常、円又は楕円の形状に近いため、他のパーツに代用することが出来ない。そのため、手袋６の製造現場では、掌材６１から切り取られた親指穴６８の生地はそのまま破棄しており、破棄した生地の分だけ生産性が悪いという問題がある。
【０００９】
更に、従来の手袋６では、当該手袋６を装着して作業すると、親指袋と掌材６１の親指穴６８との縫目に張力が加わり易く、当該張力によって縫製糸が解けたり切れたりするという問題がある。特に、伸縮性の乏しい厚手の生地で作成された手袋６では、前記縫目６９に手袋全体の張力が伝播し易く、容易に破れてしまうという問題がある。
【００１０】
そこで、本発明は、上記問題を解決するためになされたものであり、親指に掛かる窮屈感を軽減するとともに、親指袋が容易に破れることのない手袋を提供するものである。
【課題を解決するための手段】
【００１１】
上述した課題を解決し、目的を達成するために、本発明に係る手袋は、掌材と甲材を縫合した手袋を前提とする。当該手袋において、人差指側端縁と手首側端縁との交点より形成される角の一部を、手首から親指の第二関節に渡って落とした掌材と、親指の掌側の第二関節から先端に至る形状に符号する掌面親指材と、親指手首から指先までに沿った形状の甲面親指材と、甲材とを備える。
【００１２】
角の一部の形状は、三角形、四角形、多角形等、どのような形状でも構わない。
【００１３】
角の一部は、手首から親指の第二関節に渡って掌材から（切り）落とされるのであるが、この親指の第二関節の位置は、厳密な位置でなくてもよい。即ち、掌材の人差指側端縁の上方から下方へ向かって直線に裁断する際に、裁断箇所の一部がほぼ親指の第二関節の位置に該当すればよい。掌材に形成される掌面親指材の一部（第一関節からほぼ第二関節までの部分）に対応して掌面親指材が裁断される。
【００１４】
上述した掌材、掌面親指材、甲面親指材、甲材はそれぞれ縫合される。
【００１５】
当該構成により、手袋の親指袋における親指の付根部分が無縫製となるので、当該付根部分の縫目による親指の窮屈感を軽減することが可能となる。又、前記付根部分の生地は生地本来の伸縮性を維持することとなるため、激しく親指を動かしたとしても、親指から当該付根近傍まで問題なく伸縮することとなり、手を自由に動かすことが可能となる。
【００１６】
又、親指の付根部分が無縫製となるので、親指袋と掌材の親指穴との縫目に張力が伝播し、縫い糸が解けたり切れたりする問題が発生することがない。そのため、親指袋が手袋から容易に破れることがない。特に、厚手の生地を採用した手袋には好適である。
【００１７】
更に、当該構成では、従来の掌材に必ず設けていた親指穴を設ける必要がないため、親指穴に対応する生地を破棄する必要がなくなり、手袋を作成する際に、無駄になる生地を少なくすることが可能となり、コストダウンを図ることが可能となる。
【００１８】
又、掌材の人差指材の甲側端縁が一直線状であれば、当該掌材を生地から切り出す際に、例えば、人差指材の掌側端縁が一直線状である甲材、その他のパーツに近接した位置の生地から掌材を切り出すことが可能となり、生地から抜き出せるパーツの数を増やすことが可能となり、更に、コストダウンを図ることが可能となる。
【発明の効果】
【００１９】
本発明の手袋によれば、親指に掛かる窮屈感を軽減するとともに、親指袋が容易に破れることがなく、耐久性を向上させることが可能となる。更に、従来の手袋と比較すると、無駄となる生地の発生を抑えて、コストパフォーマンスを高めることが可能となる。
【図面の簡単な説明】
【００２０】
【図１】本発明の実施形態に係る手袋の各パーツの展開図である。
【図２】本発明の実施形態に係る手袋の底面図（図２（Ａ））と平面図（図２（Ｂ））である。
【図３】本発明の実施形態に係る手袋の締結バンドを開いた状態を示す平面図（図３（Ａ））と切欠に備えられた三角布を外部へ出した状態を示す平面図（図３（Ｂ））である。
【図４】他の実施形態に係る手袋の各パーツの展開図である。
【図５】他の実施形態に係る手袋の底面図（図５（Ａ））と平面図（図５（Ｂ））である。
【図６】従来品の手袋の各パーツの展開図である。
【図７】従来品の手袋の底面図（図７（Ａ））と平面図（図８（Ｂ））である。
【発明を実施するための形態】
【００２１】
以下に本発明に係る手袋の実施の形態を図面に基づき詳細に説明するが、本発明はこれに限定されるものではない。尚、以下に示す図面の手袋は左手用であるが、これが右手用であっても実質的に差異はない。
【００２２】
図１は、縫製前の本発明の手袋の各パーツの展開図である。又、図２は、本発明の実施形態に係る手袋の底面図（図２（Ａ））と平面図（図２（Ｂ））である。図３は、本発明の実施形態に係る手袋の締結バンドを開いた状態を示す平面図（図３（Ａ））と切欠に備えられた三角布を外部へ出した状態を示す平面図（図３（Ｂ））である。
【００２３】
尚、図１乃至図３の上下方向が手袋の各パーツ及び手袋１の上下方向に対応し、図１乃至図３の左右方向が手袋の各パーツ及び手袋１の左右方向に対応する。
【００２４】
又、図２乃至図３では、手袋に存在する縫目のうち、本発明に係る主要な縫目について破線で表示し、他の縫目は省略している。又、図１乃至図３に示す掌側付根位置ｂと甲側付根位置ｇと右側切り込み位置ｃは一点鎖線で示すが、破線で示される縫目とは異なる（後述する）。又、図１では、手袋の生地に示す破線は、屈曲線等である（後述する）。尚、図４、図５の一点鎖線、破線の表示は、上述した図１乃至図３の表示と同様である。
【００２５】
図１に示すように、本発明の手袋１の主な生地は、人差指側端縁Ａ５と手首側端縁Ｄ１との交点より形成される角の一部１１ｆ１を、手首から親指の第二関節に渡って落とした掌材１１と、親指の第二関節から指先（先端）に至る形状に符号する掌面親指材１２と、掌面中指材１３と、掌面薬指材１４と、手首から親指の指先（先端）までに沿った形状の甲面親指材１５と、手の甲面の生地である甲材１６と、伸縮性に富む袖部１７と、柔軟性に富む三角布１８と、締結バンド１９と、面ファスナー２０とから構成される。尚、前記生地は、皮革、人工皮革等、種々の生地を使用しており、特に限定されるものではない。
【００２６】
掌材１１は、図１に示すように、人差指材端縁Ｃ１の上方から下方への延長線ａ１と手首側端縁Ｄ１の左方から右方への延長線ａ２との交点より形成される角の一部１１ｆ１を、掌面の手首から親指の第二関節に渡って（切り）落とされた形状となっている。そして、掌材１１には、人差指材と親指材との付根に対応する掌面人差指材１１ａの下側に切り込みｄが設けられ、掌面人差指材と掌面親指材とが形成される。当該構成とすると、掌材１１の親指の掌側付根に対応する位置ｂ（以下、掌側付根位置ｂとする）から、親指の第一関節から第二関節までの掌面親指材の一部１１ｅ（１１ｅ１、１１ｅ２）が連続した形状となる。尚、掌材１１から角の一部１１ｆ１が落とされると、掌面親指材の一部１１ｅの下端縁が、掌面の手首から親指の第二関節に渡る端縁Ａ２となる。掌側付根位置ｂは、従来の掌材の親指穴の左側切り込み位置ｂに対応するため、掌材１１には、従来の掌材の親指穴の左側切り込みを形成する必要がなくなり、親指の掌側付根部分を無縫製とすることが可能となる。
【００２７】
又、親指の第一関節から第二関節までの掌面親指材の一部１１ｅが、掌側付根位置ｂから掌材１１の人差指材端縁の延長線ａ１まで延びた形状であるので、生地から掌材１１を裁断する場合、掌材１１の人差指材の先端から手首側に向かって一直線に裁断し、上述した切り込みｄを設ければ、前記掌面親指材の一部１１ｅを掌材に形成することが可能となり、裁断作業が容易となる。尚、掌面親指材の一部１１ｅの右側端部Ａ３が、親指の第二関節にほぼ位置する。
【００２８】
又、掌材１１の人差指材の右側端縁Ｃ１、Ａ３が一直線状であれば、当該掌材１１を生地から切り出す際に、例えば、人差指材の左側端縁Ｃ１‘、Ａ５‘が一直線状である甲材１６、その他のパーツに近接した位置の生地から掌材１１を切り出すことが可能となり、生地から抜き出せるパーツの数を増やすことが可能となり、更に、コストダウンを図ることが可能となる。
【００２９】
又、親指の第一関節から第二関節までの掌面親指材の一部１１ｅは、従来の親指穴に対応する部分１１ｅ１と当該親指穴の右側切り込み位置ｃから前記延長線ａ１に至るまでの部分１１ｅ２とから構成される。そのため、従来では破棄していた親指穴の生地１１ｅ１を前記掌面親指材の一部１１ｅに有効利用することが可能となり、破棄する生地の発生を抑制することができる。
【００３０】
ここで、掌材１１に連続する掌面親指材の一部１１ｅが掌側付根位置ｂで掌面側に折り曲げられると、掌材１１に従来の親指穴が生じ、従来の掌材に対して、当該親指穴の右側切り込み位置ｃから手首側に至るまでの手首側端縁Ａ４と当該右側切り込み位置ｃから人差指材の右側に至るまでの右側端縁Ａ５とに囲まれた部分１１ｆ（１１ｆ１、１１ｆ２）が欠落することになる。
【００３１】
ところで、掌材１１に連続する掌面親指材の一部１１ｅに対して、親指の第二関節から親指先端までに対応する掌面親指材１２は、当該掌材１１とは別の箇所の生地から裁断される。裁断された掌面親指材１２と、掌材１１に連続する掌面親指材の一部１１ｅの前記延長線ａ１とを縫合することによって掌面親指材が完成する。
【００３２】
又、掌材１１には、人差指袋を構成する掌面人差指材１１ａと小指袋を構成する掌面小指材１１ｄがそれぞれ連設されており、当該掌材１１に上述した掌面中指材１３と掌面薬指材１４が縫合されて、各指に対応する掌面指材が形成される。
【００３３】
掌材１１の中指材に対応する生地には、人差指材の側面部（襠ともいう）１１ａ１が設けられており、人差指材の側面部１１ａ１の下側に切り込みｅが設けられ、この切り込みｅの先端部ｅ１から人差指の先端部ｅ２までの屈曲線１１ａ２で人差指材の左側面部１１ａ１が折り曲げられ、掌面人差指材１１ａが形作られる。
【００３４】
又、掌材１１の薬指材に対応する生地には、前記人差指材と同様に、小指材の右側面部１１ｄ１が設けられており、その小指材の右側面部１１ｄ１の下側に切り込みｆが設けられ、この切り込みｆの先端ｆ１から小指の先端ｆ２までの屈曲線１１ｄ２で小指材の右側面部１１ｄ１が折り曲げられ、掌面小指材１１ｄが形作られる。
【００３５】
又、掌材１１の小指材の手首近傍では、所定の位置ｋ１から掌面側に向かって所定の手首位置ｋ２まで裁断され、掌材１１の小指材の手首近傍に、上方を鋭角とする略直角三角形の切欠ｋが形成されている。当該切欠ｋは、三角布１８で覆われることになる（後述する）。
【００３６】
掌面中指材１３及び掌面薬指材１４は、それぞれ掌面部１３ｂ、１４ｃと当該掌面部１３ｂ、１４ｃの左右両側に側面部１３ｂ１、１３ｂ２、１４ｃ１、１４ｃ２を一体裁断して形成される。掌面中指材１３では、掌面部１３ｂと左側面部１３ｂ１とを区分する屈曲線１３ｂ３、掌面部１３ｂと右側面部１３ｂ２とを区分する屈曲線１３ｂ４が設けられ、縫製時において二本の屈曲線１３ｂ３、１３ｂ４で折り曲げられ、掌面中指材１３が形作られる。又、掌面薬指材１４では、掌面中指材１３と同様に、掌面部１４ｃと左側面部１４ｃ１とを区分する屈曲線１４ｃ３、掌面部１４ｃと右側面部１４ｃ２とを区分する屈曲線１４ｃ４が設けられ、縫製時において二本の屈曲線１４ｃ３、１４ｃ４で折り曲げられ、掌面中指材１４が形作られる。
【００３７】
ところで、甲面親指材１５では、甲面の手首から親指の先端（指先）までに沿った形状となっている。当該構成により、甲面親指材１５が、上述した掌材１１の欠落部分１１ｆ（従来の掌材では、甲面に位置する部分）を、親指の甲側付根に対応する位置ｇ（甲側付根位置ｇ）から延設させた形状となる。当該甲側付根位置ｇが、従来の掌材の親指穴の右側切り込みｃに対応するため、本発明の掌材１１には、従来の掌材の親指穴の右側切り込みを形成する必要が無くなり、親指の甲側付根部分を無縫製とすることが可能となる。
【００３８】
又、甲材１６は、人差指と中指との間、中指と薬指との間、薬指と小指との間にそれぞれ切り込みｈ、ｉ、ｊが設けられて、甲面人差指材１６ａ、甲面中指材１６ｂ、甲面薬指材１６ｃ、甲面小指材１６ｄが形成される。
【００３９】
次に手袋の縫合手順について説明する。
【００４０】
まず、掌材１１に連続する掌面親指材の一部１１ｅの右側端縁Ａ３が掌面親指材１２の下端縁Ａ３‘に縫合されて、親指先端から第一関節までの掌面親指材が掌材１１に形成される。
【００４１】
次に、掌材１１に形成された掌面親指材が掌側付根位置ｂで掌面側に折り曲げられ、更に、甲面親指材１５が甲側付根位置ｇで甲面側に折り曲げられ、掌面親指材と甲面親指材とが合わされる。そして、掌材１１の人差指材の下端縁Ａ８と、掌面親指材の一部１１ｅの上端縁Ａ１と、掌面親指材１２の右側周端縁Ａ６と、掌面親指材１２の左側周端縁Ａ７と、掌面親指材の一部１１ｅの下端縁Ａ２とが、甲面親指材１５の甲側付根位置ｇから延設された部分１１ｆの上端縁Ａ８‘と、甲面親指材１５の右側周端縁Ａ１‘、Ａ６‘と、甲面親指材１５の左側周端縁Ａ７‘、Ａ２‘とにそれぞれ縫合されて、親指袋が形成される。当該縫合作業では、従来の掌材の親指穴に沿って円形を描くような縫合作業をする必要がないため、縫合作業が容易となる。
【００４２】
続いて、掌面中指材１３と掌面薬指材１４とがそれぞれの屈曲線１３ｂ３、１３ｂ４、１４ｃ３、１４ｃ４で折り曲げられ、側面部１３ｂ１、１３ｂ２、１４ｃ１、１４ｃ２がそれぞれ形成される。又、掌材１１の人差指材の左側面部１１ａ１と、小指材の右側面部１１ｄ１とがそれぞれ屈曲線１１ａ２、１１ｄ２で折り曲げられる。そして、掌面中指材１３の掌面部１３ｂの下端縁Ｂ１が掌材１１の人差指側の切り込みｅの中指側上端縁Ｂ１‘に縫合され、掌面薬指材１４の掌面部１４ｃの下端縁Ｂ２が掌材１１の小指側の切り込みｆの薬指側上端縁Ｂ２‘に縫合される。更に、掌面中指材１３の右側面部１３ｂ２の下端縁Ｂ３が掌材１１の人差指材の左側面部１１ａ１の下端縁Ｂ３‘に縫合され、掌面薬指材１４の左側面部１４ｃ１の下端縁Ｂ４が掌材１１の小指材の右側面部１１ｄ１の下端縁Ｂ４‘に縫合される。最後に、掌面中指材１３の左側面部１３ｂ１の下端縁Ｂ５が掌面薬指材１４の右側面部１４ｃ２の下端縁Ｂ５‘に縫合されて、掌材１１に掌面人差指材１１ａ、掌面中指材１３ｂ、掌面薬指材１４ｃ、掌面小指材１１ｄが形成される。
【００４３】
その後、各指材がそれぞれ形成された掌材１１と、既に各指の甲面部をそれぞれ有する甲材１６とが以下の手順により縫合されて、手袋１が縫製される。
【００４４】
まず、掌材１１に縫合された甲面親指材１５の右側端縁Ａ５‘‘が、掌材１１の人差指材の人差指材の上方から下方へ延びた延長線ａ１に合わされて、掌材１１の人差指材の右側端縁Ａ５に対応付けされる。次に、甲面親指材１５の右側端縁Ａ５‘‘と、掌材の人差指材の右側周辺縁Ｃ１と、左側周辺縁Ｃ２とが、甲材１６の人差指材の左側端縁Ａ５‘と、甲材１６の人差指材の左側周辺縁Ｃ１‘と、右側周辺縁Ｃ２‘とにそれぞれ縫合され、人差指袋が形成される。
【００４５】
次に、掌材１１の中指材の右側周辺縁Ｃ３と、左側周辺縁Ｃ４とが、甲材１６の中指材の左側周辺縁Ｃ３‘と、右側周辺縁Ｃ４‘とにそれぞれ縫合され、中指袋が形成される。
【００４６】
中指袋と同様に、掌材１１の薬指材の右側周辺縁Ｃ５と、左側周辺縁Ｃ６とが、甲材１６の薬指材の左側周辺縁Ｃ５‘と、右側周辺縁Ｃ６‘とにそれぞれ縫合され、薬指袋が形成される。
【００４７】
最後に、掌材１１の小指材の右側周辺縁Ｃ７と、左側周辺縁Ｃ８とが、甲材１６の小指材の左側周辺縁Ｃ５‘と、右側周辺縁Ｃ６‘とにそれぞれ縫合され、小指袋が形成される。ここで、掌材１１の小指材の下方左側端縁Ｃ９と、甲材１６の小指材の下方右側端縁Ｃ１０とは相互に縫合されない。そのため、手袋１の小指側の手首近傍に切欠ｋが形成される。尚、当該切欠ｋの両端縁には、三角布１８の端縁が縫合される（後述する）。
【００４８】
親指袋、人差指袋、中指袋、薬指袋、小指袋が形成されると、掌材１１の下端縁Ｄ１、甲面親指材１５の下端縁Ｄ２、甲材１６の下端縁Ｄ３が、袖部１７の上端縁Ｄ１‘、Ｄ２‘、Ｄ３‘に、連続して一周するように縫合される。前記袖部１７の左側端縁Ｅ１は、右側端縁Ｅ２と縫合されず、袖部１７が縫合された後は、上述した切欠ｋと連続した大きな切欠ｋ‘が設けられることとなる（図２（Ａ）、図２（Ｂ））。
【００４９】
設けられた大きな切欠ｋ‘を構成する左側端縁、つまり、掌材１１の小指材の左側端縁Ｃ９と、袖部１７の左側端縁Ｅ１の一部Ｅ３は、三角布１８の右側端縁Ｃ９‘、Ｅ３‘に縫合される。そして、大きな切欠ｋ‘を構成する右側端縁、つまり、甲材１の小指材の右側端縁Ｃ１０と、袖部１７の右側端縁Ｅ２の一部Ｅ４は、三角布１８の左側端縁Ｃ１０‘、Ｅ４‘に縫合される。当該構成により、大きな切欠ｋ‘が手袋の手への着脱を容易にするとともに、三角布１８が大きな切欠ｋ‘を覆うこととなり、外部への手の露出を防止する（図３（Ａ）、図３（Ｂ））。
【００５０】
更に、袖部１７の左側端縁Ｅ１に締結バンド１９の端縁Ｆ１が縫合される。締結バンド１９が縫合された後に、手袋１が裏返される。手袋１が裏返されると、締結バンド１９の裏面には多数の係着子からなる接着面ファスナー２０ａが縫い付けられる。そして、前記接着面ファスナー２０ａが当接する袖部１７の位置には、他方の係着子からなる被接着面ファスナー２０ｂが縫合され、両者の面ファスナー２０ａ、２０ｂによって締結バンド１９の取り付け状態を調整することが可能となる。これにより、作業者毎に手袋１のフィット感の調整が可能となる（図２、図３）。
【００５１】
このようにして、手袋１の本体が出来上がる。
【００５２】
上記のように、本発明に係る手袋１は、人差指側端縁Ａ５と手首側端縁Ａ４との交点より形成される角の一部１１ｆ１を、手首から親指の第二関節に渡って落とした掌材１１と、親指の第二関節から指先に至る形状に符号する掌面親指材１２と、掌面中指材１３と、掌面薬指材１４と、手首から親指の指先までに沿った形状の甲面親指材１５と、甲材１６とを備える。
【００５３】
当該構成により、手袋１の親指袋における親指の付根部分が無縫製となるので、当該付根部分の縫目による親指の窮屈感を軽減することが可能となる。又、前記付根部分の生地は生地本来の伸縮性を維持することとなるため、激しく親指を動かしたとしても、親指から当該付根近傍まで問題なく伸縮することとなり、手を自由に動かすことが可能となる。
【００５４】
又、親指の付根部分が無縫製となるので、親指袋と掌材の親指穴との縫目に張力が伝播し、縫い糸が解けたり切れたりする問題が発生することがない。そのため、親指袋が手袋から容易に破れることがない。特に、厚手の生地を採用した手袋には好適である。
【００５５】
更に、当該構成では、従来の掌材に必ず設けていた親指穴を設ける必要がないため、親指穴に対応する生地を破棄する必要がなくなり、手袋を作成する際に、無駄になる生地を少なくすることが可能となり、コストダウンを図ることが可能となる。
【００５６】
尚、本発明に係る手袋１では、掌材１１に連続する掌面親指材の一部１１ｅは親指の掌側付根から第二関節までに対応し、別個の生地として設けられた掌面親指材１２と当該掌面親指材の一部１１ｅとが縫合されることにより、一の掌面親指材を完成させるよう構成したが、他の構成でも構わない。例えば、掌材に、親指の掌側付根から親指先端までの完全な掌面親指材を掌側付根位置ｂから延設するよう構成しても構わない。
【００５７】
又、本発明の手袋１では、甲面親指材１２と掌面親指材１３とを掌材１１に縫合した後に、中指材１３、薬指材１４を縫合した甲材１５を当該掌材１１に縫合したが、本発明の目的を損なわない範囲で、当該縫合手順を変更しても構わない。また、本発明の手袋１では、掌材の人差指材と甲材の人差指材とを縫合してから、各指材を縫合し、最後に掌材の小指材と甲材の小指材とを縫合したが、本発明の目的を損なわない範囲で、当該縫合手順を変更しても構わない。
【００５８】
又、本発明の手袋１では、掌材１１に人差指材１１ａと小指材１１ｄとを連設させ、別個の生地として掌面中指材１４と掌面薬指材１５とを用意したが、他の構成でも構わない。
【００５９】
図４は、他の実施形態に係る手袋の各パーツの展開図である。図５は、他の実施形態に係る手袋の底面図（図５（Ａ））と平面図（図５（Ｂ））である。
【００６０】
例えば、本発明の目的を損なわない範囲で、図４乃至図５に示すように、掌材１１に中指材１３ｂと薬指材１４ｃとを連設させるよう構成し、更に、人差指材の左側面部１１ａ１と中指材の右側面部１３ｂ２とからなる第一の側面材２１ａ、中指材の左側面部１３ｂ１と薬指材の右側面部１４ｃ２とからなる第二の側面材２１ｂ、薬指材の左側面部１４ｃ１と小指材の右側面部１１ｄ１とからなる第三の側面材２１ｃを別個の生地として用意するよう構成しても構わない。そして、袖部１７と三角布１８とを削除して、甲材の所定の位置ｋ３に締結バンド１９を縫合するための、上方を鋭角とする略直角三角形の切欠ｋを設けて、当該切欠ｋの一方の端縁Ｇ１に締結バンドの端縁Ｆ１を縫合し、更に、当該締結バンド１９の裏面に接着面ファスナー２０ａを、接着面ファスナー２０ａが当接する甲材１５の位置に被接着面ファスナー２０ｂを縫い付けるよう構成しても構わない。尚、縫製手順は、上述と同様であるため、その説明は割愛する。
【００６１】
又、本発明の手袋１では、本発明の目的を損なわない範囲で、甲材１６の中央近傍に左右に伸縮自在なゴムバンドを縫い付けて、手袋１の手へのフィット感を向上させるよう構成しても構わない。
【産業上の利用可能性】
【００６２】
以上のように、本発明にかかる手袋は、スポーツ用手袋はもちろん、家庭用に用いられる手袋から、漁業、土木作業、建築作業等種々の作業において使用される手袋に有用であり、親指に掛かる窮屈感を軽減するとともに、親指袋が容易に破れることのない手袋として有効である。
【符号の説明】
【００６３】
１  手袋
１１  掌材
１２  掌面親指材
１３  掌面中指材
１４  掌面薬指材
１５  甲面親指材
１６  甲材
１７  袖部
１８  三角布
１９  締結バンド
２０  面ファスナー
【図１】
2011219910.tif 000003
【図２】
2011219910.tif 000004
【図３】
2011219910.tif 000005
【図４】
2011219910.tif 000006
【図５】
2011219910.tif 000007
【図６】
2011219910.tif 000008
【図７】
2011219910.tif 000009
【手続補正書】
【提出日】平成23年4月20日(2011.4.20)
【手続補正１】
【補正対象書類名】特許請求の範囲
【補正対象項目名】全文
【補正方法】変更
【補正の内容】
【特許請求の範囲】
【請求項１】
掌材と甲材を縫合した手袋において、
自身の人差指材端縁の延長線と自身の手首側端縁の延長線との交点より形成される角の一部が、手首から親指の第二関節に渡って落とされ、当該人差指材と親指材との付根に対応する掌面人差指材の下側に切り込みが設けられ、親指の第一関節から第二関節までの掌面親指材の一部が連続した形状の掌材と、
親指の第二関節から指先に至る形状に符号する掌面親指材と、
手首から親指の指先までに沿った形状で、前記掌材の欠落部分を親指の甲側付根位置から延設させた形状の甲面親指材と、
を備え、
前記掌面親指材の一部の第二関節側端縁が、前記掌面親指材の第二関節側端縁に縫合されて、親指先端から第一関節までの掌面親指材が前記掌材に形成され、
前記切り込みに対応する前記掌材の人差指材の下端縁が、前記甲面親指材の前記甲側付根位置から延設された部分の上端縁に縫合され、更に、当該切り込みの奥から折り返して前記掌面親指材の一部の上端縁と、前記掌面親指材の周端縁と、前記掌面親指材の一部の下端縁とが、前記甲面親指材の周端縁に縫合されて親指袋が形成されたことを特徴とする手袋。
【請求項２】
更に、自身の人差指材の掌側端縁が一直線状である甲材を備え、
前記甲面親指材の甲側端縁が、前記掌材の人差指材の延長線に合わされて、前記掌材の人差指材の甲側端縁に対応付けられ、当該掌材の人差指材の甲側端縁と、前記甲材の人差指材の掌側端縁とが縫合された
請求項１に記載の手袋。